(57)【要約】【課題】  被写体に対して撮像装置からの光を利用して装飾を施すことの可能な装飾撮影用具、及び、この装飾撮影用具を備えた撮像装置ユニットを提供する。【解決手段】  光源２２が点灯し、照射レンズ３６を介してカメラ１０の前方へ光が出射される。挿入スリット４２へ照射パターン部材４０を挿入すると、照射レンズ３６へ入射する光の一部が照射パターン部材４０によって制限され、光が星形に形成される。この星形の光を照射レンズ３６を介して自分撮りの被写体、即ち自分自身に照射させる。【選択図】  図４
2005227305.tif 000002
【特許請求の範囲】
【請求項１】
撮像装置へ取り付けられた状態でこの撮像装置から出射される光を透過可能な光透過口と、
前記光透過口からの光の一部を制限して所定の照射形状の光を被写体へ照射可能な照射パターン部材と、
を備えた装飾撮影用具。
【請求項２】
撮像装置への着脱を可能とする着脱部をさらに備えた請求項１に記載の装飾撮影用具。
【請求項３】
前記撮像装置へ取り付けられた状態で、前記撮像装置の被写体を写し出す方向に向けて配置されるミラーをさらに備えたことを特徴とする請求項１または請求項２に記載の装飾撮影用具。
【請求項４】
前記照射パターン部材を着脱可能な着脱部材をさらに備えたことを特徴とする請求項１乃至請求項３のいずれか１項に記載の装飾撮影用具。
【請求項５】
請求項１乃至請求項４のいずれか１項に記載の装飾撮影用具と、
前記装飾撮影用具の着脱部が取り付けられる被取付部と、前記被取付部に前記装飾撮影用具が取り付けられた際にこの装飾撮影用具の光透過口へ光を出射可能な光出射部、を有する撮像装置と、
を備えた撮像装置ユニット。
【請求項６】
前記撮像装置は、
前記装飾撮影用具が取り付けられたことを検知する検知手段と、この検知手段により前記装飾撮影用具が取り付けられたことが検知されると、マクロ撮影モードに切換える切換手段と、
をさらに有していることを特徴とする請求項５に記載の撮像装置ユニット。
【発明の詳細な説明】
【技術分野】
【０００１】
本発明は装飾撮影用具、及び、撮像装置ユニットに関する。
【背景技術】
【０００２】
近年、カメラなどの撮像装置を用いて自分自身を被写体として撮影を行う、いわゆる自分撮りを行うユーザーが増加している。そして、この自分撮りのニーズに応えるべく、撮像装置に様々な機能を付加する技術が提案されている。例えば、特許文献１には、被写体確認用のミラーを有すると共に、ストロボ光の色を変化させることの可能な自己撮影用カメラカバーが記載されている。
【０００３】
しかしながら、上記技術では、被写体自身に装飾を施すことはできず、装飾を行うためにはユーザーが自ら装飾用具を用意する必要があった。
【特許文献１】実開平７−８８４５号
【発明の開示】
【発明が解決しようとする課題】
【０００４】
本発明は上記事実を考慮し、被写体に対して撮像装置からの光を利用して装飾を施すことの可能な装飾撮影用具、及び、この装飾撮影用具を備えた撮像装置ユニットを提供することを目的とする。
【課題を解決するための手段】
【０００５】
上記課題を解決するため、請求項１に記載の装飾撮影用具は、撮像装置へ取り付けられた状態でこの撮像装置から出射される光を透過可能な光透過口と、前記光透過口からの光の一部を制限して所定の照射形状の光を被写体へ照射可能な照射パターン部材と、を含んで構成されている。
【０００６】
本発明の装飾撮影用具は、撮像装置に取り付けて用いられる。光透過口からは撮像装置から出射された光が透過されているが、照射パターン部材によりこの光の一部が制限されて、所定の照射形状の光が被写体へ照射される。
【０００７】
この構成によれば、撮像装置からの光を用いて所定の照射形状の光を形成し、被写体を装飾することができる。
【０００８】
なお、本発明の装飾撮影用具は、請求項２に記載のように、撮像装置への着脱を可能とする着脱部をさらに備えたことを特徴とすることもできる。
【０００９】
この構成によれば、撮像装置から装飾撮影用具を取外すことができ便利である。
【００１０】
なお、本発明の装飾撮影用具は、請求項３に記載のように、前記撮像装置へ取り付けられた状態で、前記撮像装置の被写体を写し出す方向に向けて配置されるミラーをさらに備えたことを特徴とすることもできる。
【００１１】
この構成によれば、ミラーにより装飾された被写体を確認しながら撮影することができる。
【００１２】
また、本発明の装飾撮影用具は、請求項４に記載のように、前記照射パターン部材を着脱可能な着脱部材をさらに備えたことを特徴とすることもできる。
【００１３】
この構成によれば、照射パターン部材を取り替えることができ、様々な形状の照射形状で被写体を装飾することができる。
【００１４】
請求項５に記載の撮像装置ユニットは、請求項１乃至請求項４のいずれか１項に記載の装飾撮影用具と、前記装飾撮影用具の着脱部が取り付けられる被取付部と、前記被取付部に前記装飾撮影用具が取り付けられた際にこの装飾撮影用具の光透過口へ光を出射可能な光出射部、を有する撮像装置と、を含んで構成されている。
【００１５】
本発明の撮像装置ユニットでは、撮像装置の被取付部へ装飾撮影用具を取り付ければ、撮像装置からの光を用いて所定の照射形状の光を形成し、被写体を装飾することができる。
【００１６】
なお、本発明の撮像装置ユニットは、請求項６に記載のように、前記装飾撮影用具が取り付けられたことを検知する検知手段と、この検知手段により前記装飾撮影用具が取り付けられたことが検知されると、マクロ撮影モードに切換える切換手段と、をさらに有していることを特徴とすることもできる。
【００１７】
一般的に、自分撮りを行う場合には、撮像装置と被写体との距離が短い場合が多い。また、装飾用の光の散乱を考慮すると、撮像装置と被写体との距離を短くし、マクロ撮影モードで撮影することが望ましい。
【００１８】
上記構成によれば、装飾撮影用具が取り付けられたことが検知手段で検知されると、自動的にマクロ撮影モードに切換えられるので、装飾撮影用具で撮影する際に、ユーザーがマクロ撮影モードに切換える必要がなく、利便性が向上する。
【発明の効果】
【００１９】
本発明の装飾撮影用具、及び撮像装置ユニットは上記構成としたので、被写体に対して撮像装置からの光を利用して装飾を施すことができる。
【発明を実施するための最良の形態】
【００２０】
以下、図面を参照して、本実施形態について詳細に説明する。
【００２１】
図１に示すように、本発明の撮像装置ユニット１は、撮像装置としてのカメラ１０、及び装飾撮影用具３０を備える。カメラ１０はカメラ本体１２を備え、カメラ本体１２の前面１２Ａには、撮像用のカメラレンズ１４、ストロボ窓１６、ファインダ窓１８、及び、グリップ２０が設けられている。グリップ２０は、上側から見て、カメラ本体１２の筐体から前面に弧状に突出されており、中央部に光を出射可能な光源２２を備える。カメラ本体１２の上面１２Ｂには、シャッタボタン２４、及び、光源２２のオン・オフを行うための点灯スイッチ２６が設けられている。点灯スイッチ２６は、スライド部材２６Ａを備え、スライド部材２６ＡをＯＮ側へ移動させることにより光源２２をオンし、ＯＦＦ側へ移動させることにより光源２２をオフする構成とされている。カメラ本体１２の側面１２Ｃには、図２に示すように、被取付穴５０、及び、取付検知穴５２が形成されている。取付検知穴５２の奥側には、取付検知スイッチ５４が設けられている。取付検知スイッチ５４は、後述するピン４６に押されてオンされ、カメラ１０をマクロ撮影モードに切換え可能とされている。
【００２２】
図１に示すように、装飾撮影用具３０は、ほぼＬ字状の装飾撮影用具本体３２を備える。装飾撮影用具本体３２は、Ｌ字の一辺を構成する前側部材３２Ａと、他片を構成する横側部材３２Ｂとで一体的に構成されている。前側部材３２Ａの内面は、グリップ２０に沿った形状とされ、グリップ２０に密着するように配置可能とされている。前側から見て、前側部材３２Ａの中央部には、カメラ１０の光源２２から出射された光を透過可能な光透過口３４が形成されている。光透過口３４には、照射レンズ３６が嵌め込まれている。また、前側部材３２Ａの上部には、後述する板状の照射パターン部材４０を挿入可能とする挿入スリット４２が形成されている。照射パターン部材４０は、図３に示すように、長方形板状とされ、星形の孔４４が形成されている。照射パターン部材４０は、挿入スリット４２に光透過口３４を覆う位置まで挿入可能とされている。なお、本実施形態では孔４４が星形である例について説明するが、孔４４は、ユーザーの希望する装飾用形状、例えば、照射パターン部材４１のように、「ＪＡＰＡＮ」の形状の孔としてもよい。
【００２３】
図１に示すように、横側部材３２Ｂには、取付穴４４が形成され、ピン４６が設けられている。取付穴４４には、図２に示すように、ねじ頭が取付穴４４よりも大経の取付ねじ４８を挿通可能とされている。また、取付ねじ４８は、カメラ本体１２の側面１２Ｃに形成された被取付穴５０にねじ込み可能とされている。ピン４６は取付検知穴５２に差し込まれて、取付検知スイッチ５４をオンする構成とされている。
【００２４】
装飾撮影用具３０には、板状のミラー６０が設けられている。ミラー６０は、鏡面が被写体を映し出す方向に向けて配置されている。
【００２５】
次に、本実施形態の作用について説明する。
【００２６】
カメラ１０へ装飾撮影用具３０を取り付ける際には、図２及び図３に示すように、装飾撮影用具３０の前側部材３２Ａを光源２２を覆うようにしてグリップ２０に沿って配置すると共に、横側部材３２Ｂを側面１２Ｃに沿って配置し、ピン４６を取付検知穴５２に差し込み、取付ねじ４８を横側部材３２Ｂの外側から取付穴４４を貫通させて被取付穴５０にねじ込む。これにより、装飾撮影用具３０がカメラ１０に固定されると共に、ピン４６により取付検知スイッチ５４がオンされて、カメラ１０がマクロ撮影モードに切換えられる。
【００２７】
ユーザーが点灯スイッチ２６をオンすると、光源２２が点灯し、照射レンズ３６を介してカメラ１０の前方へ光が出射される。挿入スリット４２へ照射パターン部材４０を挿入すると、照射レンズ３６へ入射する光の一部が照射パターン部材４０によって制限され、光が星形に形成される。この星形の光を照射レンズ３６を介して自分撮りの被写体、即ち自分自身に照射させる。被写体であるユーザーは、ミラー６０で光の照射位置などを確認することができる。図４では、星形の光はユーザーの頬に照射されている。
【００２８】
本実施形態によれば、カメラ１０からの光の一部を照射パターン部材４０で制限して被写体に所定形状の光を照射することにより、被写体を装飾することができる。
【００２９】
なお、本実施形態では、ミラー６０を備えた構成としたが、ミラー６０は必ずしも必要ではなく、また、ミラー６０に代えて、撮影対象を表示可能なディスプレイをカメラ１０の前面に設けてもよく、ディスプレイを回転させてカメラ１０の前面側に向けてもよい。特に、ミラー６０を設けることにより、簡易な構成で被写体自身が装飾状態などを確認することができる。
【００３０】
また、本実施形態では、装飾撮影用具３０を撮像装置１０に着脱可能な構成としたが、装飾撮影用具３０は、撮像装置１０に固定されているものであってもよい。特に、着脱可能とすることにより、不要な時に取り外しができて便利である。
【００３１】
また、本実施形態では、照射パターン部材４０が着脱可能な構成について説明したが、照射パターン部材４０は必ずしも着脱可能で有る必要はなく、前側部材３２Ａに固定されていても、また、前側部材３２Ａと一体的に構成されていてもよい。特に、着脱可能とされていることにより。１つの装飾撮影用具３０で様々な形状の光を被写体に照射することができ、装飾のバリエーションを増加させることができる。
【００３２】
また、本実施形態では、取付検知スイッチ５４を設け、取付検知スイッチ５４がオンされると、カメラ１０がマクロ撮影モードに切換えられたが、必ずしもマクロ撮影モードに切換えられ必要はない。一般的に、自分撮りを行う場合には、カメラ１０と被写体との距離が短い場合が多い。また、装飾用の光の散乱を考慮すると、カメラ１０と被写体との距離を短くし、マクロ撮影モードで撮影することが望ましい。そこで、本実施形態のようにすることで、装飾撮影用具３０を用いて撮影する際に、ユーザーがマクロ撮影モードに切換える必要がなく、利便性が向上する。
【００３３】
また、本実施形態では、光透過口３４に照射レンズ３６を嵌め込んだ構成としたが、照射レンズ３６は必ずしも必要ではない。特に照射レンズ３６を設けることにより、光の散乱を抑制したり、所定の位置に光を結像したりすることができる。
【００３４】
また、本実施形態では、撮像装置として、カメラを例に説明したが、カメラに限定されるものではなく、本発明をカメラ付携帯電話やビデオカメラなどに適用することもできる。
【図面の簡単な説明】
【００３５】
【図１】本実施形態の、撮像装置ユニットの装飾撮影用具が取り付けられる前の斜視図である。
【図２】本実施形態の、撮像装置ユニットの上面図である。。
【図３】本実施形態の、撮像装置ユニットの装飾撮影用具が取り付けられた状態の斜視図である。
【図４】本実施形態の、撮像装置ユニットで照射パターンが形成されている状態を示す斜視図である。
【符号の説明】
【００３６】
１０  カメラ
２    光源
３０  装飾撮影用具
３２Ａ  前側部材（着脱部材）
３４  光透過口
４０  照射パターン部材
４１  照射パターン部材
４４  取付穴（着脱部）
５０  被取付穴（被取付部）
５４  取付検知スイッチ（検知手段）
６０  ミラー
【図１】
2005227305.tif 000003
【図２】
2005227305.tif 000004
【図３】
2005227305.tif 000005
【図４】
2005227305.tif 000006